(57)【要約】【課題】貯湯運転の必要の有無を正しく認識して実行することが可能なヒートポンプ給湯機を提供すること。【解決手段】貯湯槽２と、ヒートポンプ装置９０と、ヒートポンプ装置９０が途中に配置され、貯湯槽２の下部から送られた湯水を貯湯槽２の上部へと戻す加熱回路７０と、加熱回路７０に設けられたポンプ５と、給湯端末に供給する湯水の設定温度を設定する操作手段１６と、ヒートポンプ装置９０によって、湯水を設定温度まで加熱する貯湯運転を少なくとも実行する制御装置１４と、を備え、制御装置１４は、貯湯運転を開始する場合に、ヒートポンプ装置９０を動作させる前に、ポンプ５を所定時間動作させることを特徴とするヒートポンプ給湯機１００。【選択図】図３
2015206531.tif 000002
【特許請求の範囲】
【請求項１】
湯水を貯湯する貯湯槽と、
前記湯水を加熱するヒートポンプ装置と、
途中に前記ヒートポンプ装置が配置され、前記貯湯槽の下部から送られた前記湯水を前記貯湯槽の上部へと戻す加熱回路と、
前記加熱回路に設けられたポンプと、
給湯端末に供給する湯水の設定温度を設定する操作手段と、
前記ヒートポンプ装置によって、前記湯水を前記設定温度まで加熱する貯湯運転を実行する制御装置と、を備え、
前記制御装置は、前記貯湯運転を開始する場合に、前記ヒートポンプ装置を動作させる前に、前記ポンプを所定時間動作させることを特徴とするヒートポンプ給湯機。
【請求項２】
前記制御装置は、前記所定時間における前記ポンプによる湯水の搬送量を、１．０Ｌ／ｍｉｎ以上とすることを特徴とする請求項１に記載のヒートポンプ給湯機。
【請求項３】
前記制御装置は、前記所定時間を５秒間以上とすることを特徴とする請求項１または２に記載のヒートポンプ給湯機。
【発明の詳細な説明】
【技術分野】
【０００１】
本発明は、ヒートポンプ給湯機に関するものである。
【背景技術】
【０００２】
従来、この種のヒートポンプ給湯機には、湯水を貯湯する貯湯槽と、貯湯槽の湯水と冷媒とを熱交換する水冷媒熱交換器を有するヒートポンプ装置と、水冷媒熱交換器が途中に設けられ、貯湯槽の下部の湯水を、水冷媒熱交換器を介して貯湯槽の上部へと送る加熱回路と、を有するものがある（例えば、特許文献１参照）。
【０００３】
このヒートポンプ給湯機は、給湯端末に供給される湯水の温度を設定する操作手段を備えている。制御装置は、ヒートポンプ装置を制御して、操作手段で設定された温度（設定温度）の湯水を水冷媒熱交換器によって加熱生成し、貯湯槽の上部から貯湯を行う（貯湯運転）。ここで、加熱回路には、水冷媒熱交換器の上流側と下流側とに、湯水の温度を検出する温度センサが設けられている。また、貯湯槽には、貯湯槽内の湯水の温度を検出する温度センサを設けている。制御装置は、これらの温度センサの検出温度により、ヒートポンプ装置で加熱される湯水の温度を制御するとともに、貯湯運転の開始及び停止を判断する。
【先行技術文献】
【特許文献】
【０００４】
【特許文献１】中国実用新案公告第２０１２４６８８９号明細書
【発明の概要】
【発明が解決しようとする課題】
【０００５】
ここで、前記従来の構成では、操作手段にて設定された温度（設定温度）を、ヒートポンプ装置（水冷媒熱交換器）で加熱する湯水の目標温度としている。また、前記従来の構成では、加熱回路に設けられた温度センサによって、貯湯運転の開始及び停止を判断している。したがって、設定温度が低く外気温度が高い条件では、外気に露出した温度センサの検出温度が操作手段で設定された設定温度を上回る場合がある。その結果、制御装置が貯湯運転の必要はないと判断し、貯湯運転が適切に行われない場合があり、使用者の快適性が損なわれるという課題を有していた。
【０００６】
本発明は、前記従来の課題を解決するもので、様々な運転条件においても、貯湯運転の必要性の有無を適切に判断して湯水を生成し、使用者の快適性に優れたヒートポンプ給湯機を提供することを目的とする。
【課題を解決するための手段】
【０００７】
前記従来の課題を解決するために、本発明のヒートポンプ給湯機は、湯水を貯湯する貯湯槽と、前記湯水を加熱するヒートポンプ装置と、途中に前記ヒートポンプ装置が配置され、前記貯湯槽の下部から送られた前記湯水を前記貯湯槽の上部へと戻す加熱回路と、前記加熱回路に設けられたポンプと、給湯端末に供給する湯水の設定温度を設定する操作手段と、前記ヒートポンプ装置によって、前記湯水を前記設定温度まで加熱する貯湯運転を実行する制御装置と、を備え、前記制御装置は、前記貯湯運転を開始する場合に、前記ヒートポンプ装置を動作させる前に、前記ポンプを所定時間動作させることを特徴とするものである。
【０００８】
これにより、加熱回路に滞留した湯水が設定温度より高くなっている場合等であっても
、ヒートポンプ装置を起動する前に加熱回路に湯水を循環させる。したがって、貯湯運転の必要の有無を正しく判断することができる。
【発明の効果】
【０００９】
本発明によれば、貯湯運転の必要性の有無を適切に判断して湯水を生成し、使用者の快適性に優れたヒートポンプ給湯機を提供することができる。
【図面の簡単な説明】
【００１０】
【図１】本発明の実施の形態１におけるヒートポンプ給湯機の概略構成図
【図２】同ヒートポンプ給湯機の貯湯槽内の湯水の温度分布を示すグラフ
【図３】同ヒートポンプ給湯機の貯湯運転の制御フローチャート
【発明を実施するための形態】
【００１１】
第１の発明は、湯水を貯湯する貯湯槽と、前記湯水を加熱するヒートポンプ装置と、途中に前記ヒートポンプ装置が配置され、前記貯湯槽の下部から送られた前記湯水を前記貯湯槽の上部へと戻す加熱回路と、前記加熱回路に設けられたポンプと、給湯端末に供給する湯水の設定温度を設定する操作手段と、前記ヒートポンプ装置によって、前記湯水を前記設定温度まで加熱する貯湯運転を実行する制御装置と、を備え、前記制御装置は、前記貯湯運転を開始する場合に、前記ヒートポンプ装置を動作させる前に、前記ポンプを所定時間動作させることを特徴とするヒートポンプ給湯機である。
【００１２】
これにより、外気温度が高く、加熱回路に滞留した湯水が設定温度より高くなっている場合であっても、ヒートポンプ装置を起動する前に加熱回路に湯水を循環させる。したがって、貯湯運転の必要の有無を正しく判断することができる。その結果、貯湯運転の必要性の有無を適切に判断して湯水を生成し、使用者の快適性に優れたヒートポンプ給湯機を提供することができる。
【００１３】
第２の発明は、特に第１の発明において、前記制御装置は、前記所定時間における前記ポンプによる湯水の搬送量を、１．０Ｌ／ｍｉｎ以上とすることを特徴とするものである。
【００１４】
また、第３の発明は、特に第１または第２の発明において、前記制御装置は、前記所定時間を５秒間以上とすることを特徴とするものである。
【００１５】
これにより、貯湯槽と水冷媒熱交換器を接続する配管内に滞留した湯水を貯湯槽内の湯水に入れ替えることができる。したがって、加熱回路に滞留した湯水が設定温度より高くなっている場合であっても、ヒートポンプ装置を起動する前に加熱回路に湯水を循環させる。したがって、貯湯運転の必要の有無を正しく判断することができる。その結果、貯湯運転の必要性の有無を適切に判断して湯水を生成し、使用者の快適性に優れたヒートポンプ給湯機を提供することができる。
【００１６】
以下、本発明の実施の形態について、図面を参照しながら説明する。なお、この実施の形態によって本発明が限定されるものではない。
【００１７】
（実施の形態１）
図１は本実施の形態におけるヒートポンプ給湯機１００の概略構成図である。図１に示すように、ヒートポンプ給湯機１００は、貯湯タンクユニット８０と、ヒートポンプ装置９０を備えている。
【００１８】
貯湯タンクユニット８０には、湯水を蓄える貯湯槽２が配置されている。貯湯槽２の下
部には、水道管等から水が給水される給水配管７が接続されている。給水配管７は、給水口７ａにおいて、貯湯槽２に接続されている。また、貯湯槽２の上部には、貯湯槽２内の湯水を給湯端末へと給湯させるための給湯配管６が接続されている。貯湯槽２内の湯水が給湯に使用されて減少すると、給水配管７を介して、貯湯槽２に水が自動的に給水される。なお、給水配管７には、貯湯タンクユニット８０の内部または外部に減圧弁（図示せず）が設けられる。これにより、貯湯槽２内の湯水が減少してその内圧が低下すると、水が給水配管７を介して貯湯槽２に給水される。
【００１９】
貯湯槽２には、貯湯槽２内の湯水の温度（貯湯温度）を検出する貯湯槽温度検出手段１２が設けられている。本実施の形態において、貯湯槽温度検出手段１２は、貯湯槽２の高さ方向に、複数の貯湯温度センサ（１２ａ〜１２ｃ）を配置して構成されている。
【００２０】
貯湯槽２の下部には、貯湯槽２の下部の湯水がヒートポンプ装置９０に設けられた水冷媒熱交換器１へと流れる往き管４が接続されている。往き管４の途中には、貯湯槽２の下部の湯水をヒートポンプ装置９０へと送るポンプ５が設けられている。また、貯湯槽２の上部には、水冷媒熱交換器１から貯湯槽２へと湯水が流れる戻り管３が接続されている。貯湯槽２の下部、往き管４、水冷媒熱交換器、戻り管３、貯湯槽２の上部が順に接続されて、加熱回路７０が構成される。
【００２１】
水冷媒熱交換器１は、湯水と冷媒とが熱交換を行う熱交換器である。水冷媒熱交換器１の内部には、湯水が流れる水流路（図示せず）と、後述する冷媒回路６０を循環する冷媒が流れる冷媒流路（図示せず）が設けられている。水冷媒熱交換器１にて冷媒が湯水に放熱することで、高温の湯が生成される。
【００２２】
ヒートポンプ装置９０には、冷媒を圧縮する圧縮機１０、水冷媒熱交換器１、冷媒を減圧する膨張機構９、冷媒を蒸発させる蒸発器１１が冷媒配管で環状に接続された冷媒回路６０を備えている。膨張機構９としては開度の変更が可能な電磁膨張弁、キャピラリーチューブを用いることができる。蒸発器１１は、その近傍に設けられた送風ファン１１ａによって送風された空気と冷媒とを熱交換させる空気熱交換器である。冷媒回路６０を循環する冷媒には、Ｒ４１０Ａ、Ｒ１３４ａ、Ｒ３２等のフロン系冷媒や、ＣＯ２等の自然冷媒、その他の冷媒が用いられる。ヒートポンプ装置９０は、室外に配置される。
【００２３】
ヒートポンプ装置９０の内部には、蒸発器１１及び送風ファン１１ａの近傍に、外気温度を検出する第２温度センサ（外気温度検出手段）１３が設けられている。また、ヒートポンプ装置９０の内部には、戻り管３の途中に、戻り管３を流れる湯水の温度を検出する第３温度センサ（出口温度検出手段）１５が設けられている。さらに、ヒートポンプ装置９０の内部には、往き管４の途中に、第４温度センサ（入口温度検出手段）１８が設けられている。本実施の形態において、第４温度センサ１８は、ポンプ５と水冷媒熱交換器１との間に設けられている。
【００２４】
各温度センサ（１２、１３、１５、１８）で検出された温度の出力信号は、制御装置１４に送られる。制御装置１４によって、複数の運転が実行される。複数の運転には、貯湯槽２の下部の水を水冷媒熱交換器１で加熱して貯湯槽２の上部へと戻す貯湯運転を含む。また、複数の運転には、蒸発器１１に霜が付着した場合にその霜を融解させて除去する除霜運転を含む。制御装置１４は、現時刻を判断する時刻判定部（図示せず）、複数の運転の運転時間や、前回の運転からの経過時間等の時間を計測可能なタイマ（図示せず）を有している。
【００２５】
制御装置１４は、操作手段１６及び各温度センサ（１２、１３、１５、１８）で検出された温度に基づいて、複数の運転を実行及び停止する。また、制御装置１４は、操作手段
１６及び各温度センサ（１２、１３、１５、１８）で検出された温度に基づいて、ポンプ５、膨張機構９、圧縮機１０、送風ファン１１ａを制御する。
【００２６】
操作手段１６は、使用者が貯湯運転の実行及び停止を指示する機能、及び、給湯端末に供給される湯水の温度（設定温度）を設定する機能を有する。制御装置１４は、貯湯運転において、水冷媒熱交換器１で加熱される湯水の温度が設定温度となるようにヒートポンプ装置９０を制御する。また、操作手段１６には電源のＯＮ／ＯＦＦを行う操作部（電源スイッチ）が設けられている。さらに、操作手段１６には、設定温度、及び、貯湯温度等の温度や、ヒートポンプ給湯機１００の異常等を表示する表示部が設けられている。
【００２７】
なお、貯湯運転は、制御装置１４が、貯湯槽温度検出手段１２の検出温度が所定温度（加熱開始温度）未満となった場合を検知して開始させ、貯湯槽温度検出手段１２の検出温度が所定温度（加熱停止温度）以上になった場合を検知して停止させてもよい。このとき、相対的に上方に設けられた貯湯温度センサ（１２ａ、１２ｂ）の検出温度が加熱開始温度未満となった場合に貯湯運転を開始させ、相対的に下方に設けられた貯湯温度センサ（１２ｂ、１２ｃ）の検出温度が加熱停止温度以上になった場合に貯湯運転を停止させることが好ましい。また、除霜運転についても、制御装置１４が、着霜条件に該当するか否かを判断して、開始及び停止させてもよい。
【００２８】
操作手段１６で設定する設定温度は、所定の下限温度と上限温度との間で設定することができる。下限温度は、例えば２５度〜４５度とすることができ、また、上限温度は、例えば、５５度〜７５度とすることができる。下限温度及び上限温度は、圧縮機１０の仕様として設定されている動作圧力、ポンプ５の仕様として設定されている湯水の循環流量に基づき決定される。
【００２９】
特に、冷媒としてフロン系冷媒を用いる場合には、下限温度を２５度〜３５度とし、上限温度を５５度から６５度とすることができる。ヒートポンプ装置９０に加えて、ヒートポンプ装置９０よりも高温の領域まで湯水を加熱することができるヒータ等の加熱手段を備える場合には、上限温度は６５度よりも高く設定してもよい。また、冷媒としてＣＯ２を用いる場合には、下限温度を３５度〜４５度とし、上限温度を６５度〜７５度とすることができる。
【００３０】
なお、操作手段１６の電源は、操作手段１６のいずれかの操作ボタン又は表示部に使用者が触れた場合にＯＮ状態となり、操作手段１６が所定時間操作されない場合にＯＦＦ状態となってもよく、特に限定されない。ここで、操作手段のＯＮ状態とは、操作手段の電源が使用者から見てＯＮとなっている状態である。例えば、操作手段１６に設定温度や貯湯温度等を表示する表示部が設けられている場合には、表示部に設定温度等が表示されているときに操作手段はＯＮ状態であり、一方、表示部に設定温度等が表示されていない場合には操作手段はＯＦＦ状態であると判断できる。また、例えば、表示部のバックライトの点灯の有無で操作手段のＯＮ状態とＯＦＦ状態を判断することができる。この場合、バックライトが点灯していれば操作手段がＯＮ状態であり、バックライトが消灯していれば操作手段はＯＦＦ状態であると判断できる。
【００３１】
操作手段１６によって貯湯運転の開始が指示された場合、もしくは、制御装置１４が貯湯運転の開始を判断した場合、制御装置１４は、ヒートポンプ装置９０、及び、ポンプ５を動作させる。これにより、冷媒が冷媒回路６０を循環し、湯水が加熱回路７０を循環する。
【００３２】
ヒートポンプ装置９０において、圧縮機１０によって圧縮された高温高圧の冷媒は、水冷媒熱交換器１の冷媒流路に流入して、水流路を流れる湯水に放熱する。これにより、高
温の湯が生成される。水冷媒熱交換器１から流出した冷媒は、膨張機構９によって減圧され低温低圧の状態となり、蒸発器１１に流入する。蒸発器１１に流入した冷媒は、送風ファン１１ａによって送風された空気から吸熱して蒸発する。その後、再度、圧縮機１０に流入して圧縮される。このような動作が繰り返され、冷媒が冷媒回路６０を循環する。
【００３３】
一方、ポンプ５が動作することにより、湯水が加熱回路７０を循環する。貯湯槽２の下部の湯水は、ポンプ５によって、往き管４を介して、水冷媒熱交換器１の水流路に流入する。水流路に流入した湯水は、冷媒流路を流れる冷媒から吸熱して高温の湯となる。水冷媒熱交換器１から流出した高温の湯は、戻り管３を流れ、貯湯槽２の上部から貯湯槽２に流入する。このようにして、湯水が加熱回路７０を循環し、貯湯槽２の内部に高温の湯が貯湯される。制御装置１４は、加熱回路７０から流出する湯水の温度（加熱温度）が設定温度となるように、ヒートポンプ装置９０、ポンプ５を制御する。使用者が給湯端末を開栓すると、給湯口６ａから貯湯槽２内部の湯水が流出し、給湯端末へと供給される。これにより、給湯が行われる。
【００３４】
貯湯運転により、貯湯槽２の下部の水が加熱されて高温の湯となり、貯湯槽２の上部から貯湯される。このとき、貯湯槽２の内部には、図２に示すように、上方ほど温度の高い温度成層が形成される。この温度成層は、操作手段１６で設定された設定温度の湯水が、貯湯槽２の頂部から所定の高さまで分布する高温層と、給水配管７から供給される給水温度の湯水が貯湯槽２の底部から所定の高さまで分布する低温層と、高温層と低温層との間に形成され、目標温度から給水温度まで湯水の温度が変化する中温層とで形成される。ここで、ヒートポンプ給湯機１００においては、貯湯槽２の下部と往き管４との接続箇所の近傍に分布する湯水の温度を低く維持することが好ましい。これにより、ヒートポンプ装置９０が湯水を加熱する際の加熱効率を高く維持することができる。
【００３５】
外気温度が低い運転条件で貯湯運転を行うと、低温低圧の冷媒が流れる蒸発器１１の周囲の水分が冷やされ、蒸発器１１の表面に着霜する場合がある。制御装置１４は、蒸発器１１への着霜条件であることを判断すると、霜を融解させて除去する除霜運転を実行する。着霜条件は、例えば、第２温度センサ（外気温度検出手段）１３の検出温度が所定温度未満となった場合が該当する。また、蒸発器１１を流れる冷媒の温度を検出する温度センサ（冷媒温度検出手段）（図示せず）を別に設けて、蒸発器１１を流れる冷媒の温度が所定温度未満となった場合が着霜条件に該当する。着霜条件に該当する場合、制御装置１４は除霜運転を開始する。なお、着霜条件は、第２温度センサの検出温度と、蒸発器１１を流れる冷媒の温度との双方を用いて判断してもよい。
【００３６】
貯湯運転が終了すると、その時点で加熱回路７０の内部に滞留している湯水は、放熱により温度が次第に低下する。ここで、加熱回路７０内の湯水の温度が放熱により低下すると密度が大きくなる。加熱回路７０のうち、相対的に高い位置にある湯水の温度が低下し、その密度が増大すると、温度低下した湯水は、加熱回路７０の下方側へと移動する。一方、加熱回路７０の下方側に存在していた水は、加熱回路７０の上方側へと移動する。このようにして、加熱回路７０の内部で、湯水の対流が生じる場合がある。また、貯湯運転が停止しているときに、外気温度が高い場合には、加熱回路７０に滞留する湯水の温度が外気によって温められる。
【００３７】
以上のような現象により、加熱回路７０の内部の湯水の温度分布は不均一となるから、貯湯運転を行うときに、第３温度センサ（出口温度検出手段）１５及び第４温度検出手段（入口温度検出手段）１８によって、正しい温度が測定できない場合が生じる。特に、操作手段１６によって、所定の下限温度と所定の上限温度との間で設定温度を設定し、貯湯運転において、制御装置１４が、水冷媒熱交換器１から流出する湯水の温度を設定温度となるようにヒートポンプ装置９０を制御する場合には、第３温度センサ１５及び第４温度
センサ１８の検出温度が設定温度を上回る場合がある。その結果、制御装置１４が貯湯運転の必要はないと判断し、貯湯運転が適切に行われない場合があり、使用者の快適性が損なわれる。
【００３８】
本発明は、上記課題に基づいて創出されたもので、操作手段１６によって、給湯端末に供給される湯水の温度（設定温度）設定し、貯湯運転では設定温度の湯水を生成するヒートポンプ給湯機において、貯湯運転の必要性の有無を正しく判断して、運転を開始および停止させることを目的とするものである。
【００３９】
そこで、本発明は、貯湯運転を開始する場合には、まず、ポンプ５を所定時間運転させ、その後、ヒートポンプ装置９０を動作させることとしている。また、ポンプ５を所定時間運転した後に、加熱回路７０に設けられたいずれかの温度センサ（第３温度センサ１５、第４温度センサ１８）の検出温度が、設定温度を上回っている場合には、貯湯運転の必要はないと判断してヒートポンプ装置９０を動作させない。
【００４０】
これにより、貯湯運転を開始するときに、ヒートポンプ装置９０を動作させる前に、加熱回路７０内に湯水が循環する。したがって、貯湯運転の開始直前の加熱回路７０内の湯水の温度分布によらず、貯湯運転の必要の有無を正しく判断することができる。
【００４１】
以下、図３に示すヒートポンプ給湯機１００の貯湯運転のフローチャートに基づいて説明する。
【００４２】
制御装置１４は、操作手段１６がＯＮ状態であるときに、操作手段１６からの貯湯運転開始指示があるかどうかを判断する待機状態にある（ＳＴＥＰ１）。制御装置１４は、使用者が操作手段１６を操作して貯湯運転の開始を指示したときは（ＳＴＥＰ１でＹＥＳ）、ＳＴＥＰ２に進む。一方、貯湯運転の開始指示がないときは（ＳＴＥＰ１でＮＯ）、そのままの状態を待機する。なお、制御装置１４は、操作手段１６がＯＮ状態となったときに貯湯運転の開始が指示されたと判断して、ＳＴＥＰ２に進んでもよい。
【００４３】
制御装置１４は、ＳＴＥＰ２において、ポンプ５を起動する。これにより、加熱回路７０に貯湯槽２の下部から湯水が流入する。制御装置１４は、ポンプ５による湯水の最大半総量、すなわち、加熱回路７０における湯水の循環量を１．０Ｌ／ｍｉｎ以上、好ましくは、５．５Ｌ／ｍｉｎ以下とする。
【００４４】
制御装置１４は、ポンプ５の運転を所定時間継続する（ＳＴＥＰ３）。本実施の形態では、ポンプ５の運転を５秒以上、好ましくは、１８０秒以下としている。ポンプ５による湯水の循環量を１．０Ｌ／ｍｉｎ以上とし、さらに、ポンプ５のみの運転を５秒以上とすることで、加熱回路７０内に残存している湯水を流すことができる。
【００４５】
制御装置１４は、ポンプ５の運転を所定時間継続した後、設定温度と第３温度センサの検出温度（出口温度）とを比較する（ＳＴＥＰ４）。なお、第３温度センサの検出温度ではなく、第４温度センサの検出温度（入口温度）を設定温度と比較してもよい。すなわち、加熱回路７０に設けられたいずれかの温度センサの検出温度と設定温度とを比較すればよい。
【００４６】
制御装置１４は、出口温度が設定温度未満である場合（ＳＴＥＰ４でＹＥＳ）には、ヒートポンプ装置９０を起動して（ＳＴＥＰ５）、水冷媒熱交換器１によって加熱回路７０を流れる湯水を加熱する。一方、出口温度が設定温度以上である場合（ＳＴＥＰ４でＮＯ）には、貯湯槽２の内部に、設定温度以上の湯水が貯湯されていると判断して、ヒートポンプ装置９０を起動することなく、ポンプ５を停止して（ＳＴＥＰ６）、制御フローを終
了させる。これにより、加熱回路７０に滞留した湯水の温度分布によらず、貯湯運転の必要性の有無を正しく認識することができる。
【００４７】
ＳＴＥＰ５においてヒートポンプ装置９０が起動されると、水冷媒熱交換器１において湯水が加熱される。水冷媒熱交換器１を流れる冷媒は、ヒートポンプ装置９０が運転することにより次第に温度が上昇する。これに伴い、制御装置１４は、ポンプ５の回転数、すなわち、加熱回路７０の湯水の循環量を増大させる。
【００４８】
制御装置１４は、水冷媒熱交換器１から流出する湯水の温度（出口温度）が、操作手段１６によって設定された設定温度となるように、ヒートポンプ装置９０と、ポンプ５とを制御する。例えば、制御装置１４は、圧縮機１０から吐出される冷媒の温度（吐出温度）が、設定温度よりも所定温度（例えば、１０度）高い温度となるように、圧縮機１０の回転数、膨張機構９の弁開度、送風ファン１１ａの回転数を制御するとともに、第３温度センサ（出口温度検出手段）１５の検出温度が、設定温度となるように、ポンプ５による湯水の循環量を増減させる。
【００４９】
制御装置１４は、所定の貯湯運転停止条件に該当するまで、上記の運転を継続する（ＳＴＥＰ７）。ここで、制御装置１４は、貯湯槽温度検出手段１２の検出温度が加熱停止温度以上になった場合（ＳＴＥＰ７でＹＥＳ）には、ＳＴＥＰ８に進み、ヒートポンプ装置９０とポンプ５とを停止させる。加熱停止温度としては、設定温度を用いることができる。ここで、貯湯温度センサ（１２ａ〜１２ｃ）が複数設けられている場合には、相対的に下方に設けられた貯湯温度センサ（１２ｂ、１２ｃ）の検出温度が加熱停止温度以上になった場合に貯湯運転を停止させることが好ましい。
【００５０】
以上の貯湯運転の開始動作によれば、外気温度が高く、加熱回路に滞留した湯水が設定温度より高くなっている場合等であっても、ヒートポンプ装置を起動する前にまず、加熱回路に湯水を循環させる。これにより、貯湯運転の必要の有無を正しく判断することができる。その結果、貯湯運転の必要性の有無を適切に判断して湯水を生成し、使用者の快適性に優れたヒートポンプ給湯機を提供することができる。
【産業上の利用可能性】
【００５１】
本発明によれば、貯湯運転の必要性の有無を正しく認識して、貯湯運転を実行するので、使用者の快適性を高く維持することができ、家庭用、業務用のヒートポンプ給湯機にとして適用することができる。
【符号の説明】
【００５２】
１  水冷媒熱交換器（放熱器）
２  貯湯槽
３  戻り管
４  往き管
５  ポンプ
６  給湯配管
６ａ  給湯口
７  給水配管
７ａ  給水口
９  膨張機構
１０  圧縮機
１１  蒸発器
１２  貯湯槽温度検出手段
１２ａ〜１２ｃ  貯湯温度センサ
１３  第２温度センサ（外気温度検出手段）
１４  制御装置
１５  第３温度センサ（出口温度検出手段）
１６  操作手段
１８  第４温度センサ（入口温度検出手段）
８０  貯湯タンクユニット
９０  ヒートポンプ装置
【図１】
2015206531.tif 000003
【図２】
2015206531.tif 000004
【図３】
2015206531.tif 000005